(57)【特許請求の範囲】
【請求項１】
ディスク状記録媒体をケース内に収納したカートリッジをトレーによって記録再生位置へ移動させ、ヘッドによって記録および／または再生を行なうようにしたディスク式記録再生装置において、
前記トレーによって前記カートリッジを記録再生位置へ移動させるときに前記カートリッジのシャッタを開放するとともに、前記トレーによって前記カートリッジを引出し位置へ移動させるときに前記カートリッジのシャッタを閉鎖するシャッタ開閉機構を具備し、
該シャッタ開閉機構は前記カートリッジの側面に接して前記シャッタを開閉するラックと、前記シャッタの開放時における開度の不定を吸収する第１の位相ずれ矯正部材と、前記シャッタの閉鎖時における開度の不定を吸収する第２の位相ずれ矯正部材とを具備し、
前記シャッタ開閉機構のラックが前記カートリッジのケース側のセグメントギヤに噛合うとともに、前記第１の位相ずれ矯正部材と前記第２の位相ずれ矯正部材とがそれぞれ前記ケース側の第１の係合部と第２の係合部とにそれぞれ係合して前記シャッタの開閉を行なうことを特徴とするディスク式記録再生装置。
【請求項２】
前記カートリッジがディスク状記録媒体を収納する中シェルを具備し、該中シェルに前記シャッタが回動自在に取付けられ、しかも前記中シェルの一側部に前記セグメントギヤと前記第１の係合部と前記第２の係合部とが設けられ、前記開閉機構が前記中シェルの一側部に沿って接線方向に移動すると前記中シェルがケース内で回転して前記カートリッジの開口を前記シャッタが開閉することを特徴とする請求項１に記載のディスク式記録再生装置。
【請求項３】
前記開閉機構の第１の位相ずれ矯正部材と前記ラックの端部との間の長さが前記カートリッジ側の前記第１の係合部と前記セグメントギヤの端部との間の円弧長よりも大きくなるようにしたことを特徴とする請求項１に記載のディスク式記録再生装置。
【請求項４】
前記開閉機構の第１の位相ずれ矯正部材と前記ラックの端部との間の長さが前記カートリッジ側の前記第１の係合部と前記セグメントギヤの端部との間の円弧長よりも、前記ラックおよび前記セグメントギヤの歯のピッチをｐとしたときに、０．２ｐ〜０．５ｐ長くなるようにしたことを特徴とする請求項１に記載のディスク式記録再生装置。
【請求項５】
前記ラックと前記セグメントギヤの歯のモジュールが０．７であることを特徴とする請求項１に記載のディスク式記録再生装置。
【請求項６】
前記セグメントギヤのピッチサークルと前記ラックのピッチサークルとが接する位置よりも深い位置で前記セグメントギヤと前記ラックとが噛合うことを特徴とする請求項１に記載のディスク式記録再生装置。
【請求項７】
前記カートリッジのケースの側面の切欠きの軸線方向の寸法に対して前記第２の位相ずれ矯正部材の軸線方向の寸法を小さくし、前記トレー上に前記カートリッジが載置されている状態および前記トレーから前記カートリッジが支持手段によって浮上った状態で前記第２の位相ずれ矯正部材が前記切欠きと干渉しないようにし、
前記開閉機構の前記カートリッジに対する退避ストロークの後退位置においてなお前記第２の位相ずれ矯正部材の先端部が前記ケースの切欠き内にあるように前記開閉機構の後退ストロークを設定することを特徴とする請求項２に記載のディスク式記録再生装置。
【請求項８】
前記開閉機構が後退した状態であって前記第２の位相ずれ矯正部材の先端部が前記中シェルの第２の係合部から外れた状態でしかも前記カートリッジのケースの内側に干渉しない状態で存在するように前記開閉機構の退避ストロークが設定されることを特徴とする請求項７に記載のディスク式記録再生装置。
【請求項９】
前記ケースにロックレバーが回動自在に設けられ、該ロックレバーが前記中シェルの被ロック部と係合することによって該ロックレバーが前記中シェルがシャッタを開放する方向に回転するのを阻止し、
しかも前記開閉機構に押圧用突部が設けられ、該押圧用突部は前記シャッタが完全に開かれた状態で前記ロックレバーをロック解除方向に押圧して前記中シェルの回転負荷を軽減することを特徴とする請求項２に記載のディスク式記録再生装置。
【請求項１０】
前記開閉機構の長さ方向の両端がそれぞれ弾性手段を介してカートリッジ側に付勢され、前記開閉機構の一端がカートリッジの切欠き内において移動方向に対して傾斜していても前記ラックが前記セグメントギヤに噛合うことを特徴とする請求項１に記載のディスク式記録再生装置。
【請求項１１】
前記開閉機構の前記ラック、前記第１の位相ずれ矯正部材、および前記第２の位相ずれ矯正部材が開閉ベース上に取付けられるとともに、それぞれ別々の弾性手段によってカートリッジ側に付勢されることを特徴とする請求項１に記載のディスク式記録再生装置。
【発明の詳細な説明】
【０００１】
【発明の属する技術分野】
本発明はディスク式記録再生装置に係り、とくにディスク状記録媒体をケース内に収納したカートリッジをトレーによって記録再生位置へ移動させ、ヘッドによって記録および／または再生を行なうようにしたディスク式記録再生装置に関する。
【０００２】
【従来の技術】
ＣＤ（コンパクトディスク）やＤＶＤのような光ディスクから成るディスク状記録媒体を用いて記録および／または再生を行なうようにしたディスク式記録再生装置が音楽や映像の記録再生に広く用いられている。さらにはこのようなディスク状記録媒体はコンピュータ等の情報処理装置の記憶装置として用いられている。
【０００３】
この場合に上記のディスク状記録媒体はトレーに載置されるとともに、トレーが引出し位置から記録再生位置に引込まれる。そしてこの状態で回転駆動部を構成するターンテーブルが下方から上昇し、トレーからディスク状記録媒体を浮上がらせて回転駆動させる。このような状態においてディスク状記録媒体に対して光学ピックアップを半径方向に移動させながら記録あるいは再生を行なう。
【０００４】
【発明が解決しようとする課題】
このような光ディスクから成るディスク式記録再生装置において、とくに高密度記録を行なうＤＶＲにおいては、ダスト等による光ディスクの汚損を防止するために、光ディスクをケース内に収納したカートリッジを用いることになる。一般にカートリッジのケースは開口を備え、この開口を不使用時にシャッタによって閉じるとともに、記録再生位置に装着したならば上記シャッタを開き、これによって光学ヘッドによるアクセスを可能にする。
【０００５】
従ってカートリッジを用いるディスク式記録再生装置においては、カートリッジが記録再生位置にローディングされるのに同期してシャッタが完全に開放されるようにすることが好ましい。ここでシャッタはその閉鎖状態が中途半端な状態であっても必ず完全に開放されなければならない。また記録再生を終ってカートリッジを取出す際に、ケースの開口をシャッタによって確実に閉める必要がある。
【０００６】
本発明はこのような問題点に鑑みてなされたものであって、カートリッジが記録再生位置に装着されるとケースの開口が完全に開かれ、カートリッジが記録再生位置から取出された場合にはケースの開口がシャッタによって完全に閉鎖されるようにしたディスク式記録再生装置を提供することを目的とする。
【０００７】
【課題を解決するための手段】
本願の主要な発明は、ディスク状記録媒体をケース内に収納したカートリッジをトレーによって記録再生位置へ移動させ、ヘッドによって記録および／または再生を行なうようにしたディスク式記録再生装置において、
前記トレーによって前記カートリッジを記録再生位置へ移動させるときに前記カートリッジのシャッタを開放するとともに、前記トレーによって前記カートリッジを引出し位置へ移動させるときに前記カートリッジのシャッタを閉鎖するシャッタ開閉機構を具備し、
該シャッタ開閉機構は前記カートリッジの側面に接して前記シャッタを開閉するラックと、前記シャッタの開放時における開度の不定を吸収する第１の位相ずれ矯正部材と、前記シャッタの閉鎖時における開度の不定を吸収する第２の位相ずれ矯正部材とを具備し、
前記シャッタ開閉機構のラックが前記カートリッジのケース側のセグメントギヤに噛合うとともに、前記第１の位相ずれ矯正部材と前記第２の位相ずれ矯正部材とがそれぞれ前記ケース側の第１の係合部と第２の係合部とにそれぞれ係合して前記シャッタの開閉を行なうことを特徴とするディスク式記録再生装置に関するものである。
【０００８】
ここで前記カートリッジがディスク状記録媒体を収納する中シェルを具備し、該中シェルに前記シャッタが回動自在に取付けられ、しかも前記中シェルの一側部に前記セグメントギヤと前記第１の係合部と前記第２の係合部とが設けられ、前記開閉機構が前記中シェルの一側部に沿って接線方向に移動すると前記中シェルがケース内で回転して前記カートリッジの開口を前記シャッタが開閉するようにしてよい。
【０００９】
また前記開閉機構の第１の位相ずれ矯正部材と前記ラックの端部との間の長さが前記カートリッジ側の前記第１の係合部と前記セグメントギヤの端部との間の円弧長よりも大きくなるようにしてよい。また前記開閉機構の第１の位相ずれ矯正部材と前記ラックの端部との間の長さが前記カートリッジ側の前記第１の係合部と前記セグメントギヤの端部との間の円弧長よりも、前記ラックおよび前記セグメントギヤの歯のピッチをｐとしたときに、０．２ｐ〜０．５ｐ長くなるようにしてよい。また前記ラックと前記セグメントギヤの歯のモジュールが０．７であってよい。また前記セグメントギヤのピッチサークルと前記ラックのピッチサークルとが接する位置よりも深い位置で前記セグメントギヤと前記ラックとが噛合うようにしてよい。
【００１０】
また前記カートリッジのケースの側面の切欠きの軸線方向の寸法に対して前記第２の位相ずれ矯正部材の軸線方向の寸法を小さくし、前記トレー上に前記カートリッジが載置されている状態および前記トレーから前記カートリッジが支持手段によって浮上った状態で前記第２の位相ずれ矯正部材が前記切欠きと干渉しないようにし、前記開閉機構の前記カートリッジに対する退避ストロークの後退位置においてなお前記第２の位相ずれ矯正部材の先端部が前記ケースの切欠き内にあるように前記開閉機構の後退ストロークを設定してよい。また前記開閉機構が後退した状態であって前記第２の位相ずれ矯正部材の先端部が前記中シェルの第２の係合部から外れた状態でしかも前記カートリッジのケースの内側に干渉しない状態で存在するように前記開閉機構の退避ストロークが設定してよい。
【００１１】
また前記ケースにロックレバーが回動自在に設けられ、該ロックレバーが前記中シェルの被ロック部と係合することによって該ロックレバーが前記中シェルがシャッタを開放する方向に回転するのを阻止し、しかも前記開閉機構に押圧用突部が設けられ、該押圧用突部は前記シャッタが完全に開かれた状態で前記ロックレバーをロック解除方向に押圧して前記中シェルの回転負荷を軽減するようにしてよい。
【００１２】
また前記開閉機構の長さ方向の両端がそれぞれ弾性手段を介してカートリッジ側に付勢され、前記開閉機構の一端がカートリッジの切欠き内において移動方向に対して傾斜していても前記ラックが前記セグメントギヤに噛合うようにしてよい。また前記開閉機構の前記ラック、前記第１の位相ずれ矯正部材、および前記第２の位相ずれ矯正部材が開閉ベース上に取付けられるとともに、それぞれ別々の弾性手段によってカートリッジ側に付勢されてよい。
【００１３】
本願に含まれる発明の好ましい態様は、シャッタ開閉機構の位相ずれ矯正部材とラックの１歯目との間の寸法をカートリッジの中シェルの側面の係合用凹部とセグメントギヤの１歯目との間の円弧状の長さよりも長くし、これによってとくに位相ずれ矯正部材と係合用凹部との間のガタによる差分を吸収するようにしたものであって、理想移動距離（ギヤモジュール×整数）よりも長くしている。
【００１４】
またシャッタ開閉機構のラックとカートリッジの中シェルのセグメントギヤの噛合い深さの方向の位置関係を互いに両者のピッチサークルが接する位置関係にはせず、むしろばねによってシャッタ開閉機構のラックギヤをカートリッジの中シェルのセグメントギヤに深く噛合うようにし、これによって噛合いの外れを防止するようにしている。またシャッタ開閉機構の開閉ベースの長さ方向の両端の背面側をそれぞればねで押すことによって、カートリッジの中シェルのセグメントギヤの噛合い方向に対して開閉ベースのラックの法線が一致しない場合であって片端がカートリッジの切欠き内において傾斜していても噛合いを確保できるようにしている。またシャッタ開閉機構の開閉ベースに対してラックおよび前後の位相ずれ矯正部材を互いに別部材から構成するとともに、ラックおよび一対の位相ずれ矯正部材をそれぞれ独立にばねによってシャッタ側に押圧することにより、トレーあるいはカートリッジの部品寸法のばらつきを吸収してラックとセグメントギヤとの確実な噛合いを達成し、これによってシャッタの開閉動作の信頼性を高めている。
【００１５】
またカートリッジの側面の切欠きに対してラックおよび一対の位相ずれ矯正部材の軸線方向の寸法を、トレーによるカートリッジの搬送時とベースユニットによるチャックアップ動作の完了後における高さ方向の移動量以上に小さくすることによって、カートリッジのシャッタが開放された状態でシャッタ開閉機構の先端部がカートリッジの外形投影面積の外側まで移動することを不要にしている。
【００１６】
またカートリッジの中シェルをシャッタが閉じた状態でロックするロックレバーの被押圧部に作用する押圧用突部をシャッタ開閉機構の開閉ベースに設け、完全にシャッタが閉じた状態において上記押圧用突部によってカートリッジ側のロックレバーをロック解除方向に押込むようにしており、これによってシャッタが完全に開放された状態からシャッタが閉じる方向に中シェルが回転する際におけるシャッタ開閉機構のとくに後側の位相ずれ矯正部材の負荷を軽減するようにしている。
【００１７】
このような態様のディスク式記録再生装置は、トレーによってカートリッジを記録再生位置と引出し位置との間で移動させるようにしたディスク式記録再生装置におけるシャッタの開閉機構に適用され、とくにシャッタの開閉動作の信頼性の向上に大きく貢献することになる。とくにトレーおよびカートリッジの部品寸法のばらつきを吸収し、確実なシャッタの開閉動作を実現することになる。
【００１８】
【発明の実施の形態】
（１）構成の説明
図１および図２は本願発明の一実施の形態に係るディスク式記録再生装置の全体の構成を示すものであって、この装置は偏平な直方体状をなす外筐１０を備えている。なお図１および図２に示すように、ここでは上部を開放して示している。そしてこの外筐１０の前面側の開口を閉塞するフロントパネル１１には横長開口１２が形成され、この横長開口１２によって引出し可能にトレー１３が外筐１０内に組込まれるようになっている。
【００１９】
トレー１３はそのほぼ中央部にカートリッジまたはベアディスクを受入れる凹部１４を有するとともに、凹部１４を横切るように縦方向に延びる開口１５が形成されている。この開口１５の奥側にはＵ字状の切込み１６が連設され、手前側には半円形の切込み１７が形成されている。
【００２０】
またトレー１３上であってそのの奥側の側部には駆動ユニット１８が設けられ、さらに駆動ユニット１８を駆動するためのモータ１９が取付けられている。トレー１３は外筐１０の内側であってその両側の段部２０によって摺動可能に支持されるとともに、駆動ユニット１８の出力端を構成するピニオンが段部２０の下側のラック２１と噛合い、これによって図１および図２に示すように、横長開口１２に対して引出しおよび収納自在に自走するようになっている。
【００２１】
上記外筐１０の底板の上部には図３〜図６に示すようなベースユニット２５が設けられている。ベースユニットは板金製のシャーシから構成され、そのほぼ中央部にはブラケット２６を介して回転駆動部を構成するターンテーブル２７が設けられている。ターンテーブル２７はその下側のモータによってダイレクトに駆動されるようになっている。
【００２２】
またベースユニット２５は上記ターンテーブル２７に対してその手前側にＤＶＤ用ピックアップ３１が、奥側にＤＶＲ用ピックアップ３２が配されている。ここでＤＶＤ用ピックアップ３１はガイドロッド３３と送りねじ３４とによってその両側が支持されるとともに、送りねじ３４がステッピングモータ３５によって回転駆動され、これによって光ディスクの半径方向に移動されるようになっている。
【００２３】
これに対して奥側のＤＶＲ用ピックアップ３２は両側の一対のガイドロッド３７、３８によって案内されるようになっており、しかもＤＶＲ用ピックアップ３２を光ディスクに対してその半径方向に移動させるための送りねじ３９が設けられている。この送りねじ３９はステッピングモータ４０によって駆動されようになっており、しかも送りねじ３９はピックアップ３２のナット４１に螺合されている。
【００２４】
またベースユニット２５上にはその前方の両側に一対のサポートロッド４５が立設されるとともに、後方の両側には一体にサポートアーム４６が連設されている。これらのサポートロッド４５およびサポートアーム４６はベースユニット２５が昇降機構によって上昇すると、トレー１３の開口４７、４８から突出するようになり、これによってトレー１３上に載置されるＤＶＲ用カートリッジ５１をその４つのコーナの部分で下面から支持するようになっている。
【００２５】
次にカートリッジ型のディスク状記録媒体であるＤＶＲ用カートリッジ５１に設けられているシャッタを開閉する機構について説明する。図１３に示すようにこの記録再生装置は外筐１０の底板上にチャッキングスライダ５６を備えている。チャッキングスライダ５６は外筐１０の両側板の内側に位置するとともに、両側のスライダ５６は連結板５７によって結合されている。そして連結板５７には長孔５８が形成されるとともに、この長孔５８が外筐１０の底板上に螺着されたねじを受入れ、これによって摺動動作するようになっている。また両側のチャッキングスライダ５６にはそれぞれ一対ずつのカム溝５９が形成されている。
【００２６】
上記カム溝５９はベースユニット２５の両側にそれぞれ植設されているピン６０を受入れるようになっている。しかもピン６０の先端部は外筐１０の内側の表面に形成されている縦溝６１に係合され、これによってチャッキングスライダ５６が前後に移動するとベースユニット２５が昇降動作を行なうようになっている。また一方のチャッキングスライダ５６の内側の表面にはラック２１が形成され、このラック２１が上記トレー１３の駆動ユニット１８の出力端を構成するピニオンと噛合うようになっており、これによってトレー１３はモータ１９の出力によって自走しながら記録再生位置と引出し位置との間を移動するようになっている。
【００２７】
上記左右一対のチャッキングスライダ５６の内の一方のスライダ５６の上部には図１４〜図１７に示すようなシャッタ開閉機構６５が取付けられている。このシャッタ開閉機構６５は図１４および図１５に示すように開閉ベース６６を備えるとともに、長さ方向の両端には保持部６７を備えている。そしてこれらの保持部６７がばね６８を受入れるようになっている。ばね６８はこのベース６６をチャッキングスライダ５６から離間するように付勢している。また開閉ベース６６はその一端に突部６９を備えている。
【００２８】
上記開閉ベース６６にはその長さ方向の中間位置にラック７１が取付けられる。ラック７１はその長さ方向の両端にそれぞれ係合爪７２を備え、これらの係合爪７２が開閉ベース６６の係合孔７３に係合されるようになっている。しかもラック７１は一対のばね７４によってベース６６の表面から突出するように付勢される。
【００２９】
さらに上記開閉ベース６６にはその長さ方向の一端であって前端側の部分に位相ずれ矯正部材７５を備えている。この矯正部材７５は一対の係合爪７６を備え、これらの係合爪７６が係合孔７７に係合されるとともに、ばね７８によって突出する方向に付勢されている。またベース６６の後端側には別の位相ずれ矯正部材７９が取付けられ、その両端の係合爪８０がベース６６の係合孔８１に係合されている。またこの位相ずれ矯正部材７９はばね８２によって飛出す方向に付勢されている。
【００３０】
上記シャッタ開閉機構６５の開閉ベース６６上に設けられている位相ずれ矯正部材７５とラック７１の１歯目との間の図１４Ｂにおける距離Ａは後述するカートリッジの内側シェル１０１の係合用凹部１１０とセグメントギヤ１０９の１歯目との間のピッチサークルの円弧状の長さよりも長く設定されている。これはラック７１と位相ずれ矯正部材７５、７９を有する開閉ベース６６が直線運動を行なうのに対してセグメントギヤ１０９と係合用凹部１１０とを有する内側シェル１０１が回転運動を行なうのと、位相ずれ矯正部材７５とカートリッジ５１側の係合用凹部１１０との間のガタを吸収するためである。
【００３１】
ここで両者の長さの差はラック７１あるいはセグメントギヤ１０９の歯のピッチｐとしたときに、０．２ｐ〜０．５ｐの範囲内であることが好ましく、とくに約ｐ／３の値が好適である。このようにシャッタ開閉機構６５側の位相ずれ矯正部材７５とラック７１との間の距離Ａをやや長くすることによって、カートリッジ５１の内側シェル１０１の回転によるシャッタ板１００の開閉動作が円滑に行なわれる。
【００３２】
なおシャッタ開閉機構６５の位相ずれ矯正部材７５とラック７１の１歯目との間の距離を長くする代りに、位相ずれ矯正部材７５を開閉ベース６６に取付ける構造を変更して距離の差を吸収するようにしてもよい。すなわち開閉ベース６６に対して位相ずれ矯正部材７５を開閉ベース６６の長さ方向に微小量だけ摺動可能にするか、あるいはまた開閉ベース６６に対して位相ずれ矯正部材７５を首振り可能にしてよい。
【００３３】
なお開閉ベース６６に対する後側の位相ずれ矯正部材７９の取付けについても、同様にこの位相ずれ矯正部材７９を開閉ベース６６に対して摺動可能あるいは首振り可能に取付けるようにしてよい。このような構成によれば、位相ずれ矯正部材７５、ラック７１、および位相ずれ矯正部材７９のカートリッジ５１の内側シェル１０１の係合用凹部１１０、セグメントギヤ１０９、および被ロック部１０８に対する係合がそれぞれ確実に行なわれるようになり、円滑なシャッタ板１００の開閉動作が可能になる。
【００３４】
このような開閉ベース６６にラック７１と位相ずれ矯正部材７５、７９を備えるシャッタ開閉機構６５は図１３に示すようにチャッキングスライダ５６に取付けられるとともに、図２１に示すようにトレー１３の移動によってこのトレー１３の下側に侵入し、図２２および図２３に示すように開閉ベース６６に設けられているラック７１、位相ずれ矯正部材７５、７９がトレー１３のスリット６４によってこのトレー１３の凹部１４の内側に臨むようになっており、これによってＤＶＲ用カートリッジ５１にアクセスするようになっている。
【００３５】
トレー１３の下面にはとくに図２４〜図２７に示すように上記シャッタ開閉機構６５の摺動位置に臨むようにカム８５と突当て８６とがそれぞれ設けられている。カム８５はシャッタ開閉機構６５をカートリッジ５１から離間させるように作用し、これに対して突当て８６は逆にシャッタ開閉機構６５がカートリッジ５１に近接するように押圧するようになっている。
【００３６】
次に上記のようなシャッタ開閉機構６５によって開閉されるＤＶＲ用カートリッジ５１のシャッタの構造について説明する。図２８はこのカートリッジ５１のディスク状記録媒体の収納部よりも下側の部分の構成を示したものであって、カートリッジ５１のケースの下側部分が下側シェル９０から構成されている。下側シェル９０にはＤＶＲ用ピックアップ３２のアクセスを可能にする開口９１が形成されている。
【００３７】
また下側シェル９０の開口９１の一方の側部にはピン９２が植設され、このピン９２にロックレバー９３が開閉自在に支持されている。ロックレバー９３はその一端にロック部９４と弾性片９５とを備え、これに対して反対側の部分が被押圧部９６になっている。このようなロックレバー９３はとくにそのロック部９４が後述する内側シェルのロックを行なうようにしている。また下側シェル９０の上面には一対の開閉ピン９７が設けられている。
【００３８】
このような下側シェル９０の上部に一対のシャッタ板１００が配される。シャッタ板１００は内側シェル１０１の下面にそれぞれ支点ピン１０２を介して回動自在に支持されている。しかもそれぞれのシャッタ板１００にはスリット１０３が形成され、これらのスリット１０３が下側シェル９０の表面の開閉ピン９７と係合し、これによって内側シェル１０１の回転に連動してシャッタ板１００の開閉動作が行なわれるようになっている。すなわちシャッタ板１００は下側シェル９０上において内側シェル１０１が回転動作をすると、図２９〜図３８に示すように運動して開口９１を開放するようにしている。内側シェル１０１を逆方向に回転させると、図３８〜図２９に示すように、開口９１がシャッタ板１００によって閉鎖される。
【００３９】
上記下側シェル９０上において回転運動を行なう内側シェル１０１には下側シェル９０の開口９１とほぼ整合する開口１０６が形成されている。また内側シェル１０１の外周部のリブには被ロック部１０８が形成されるとともに、この被ロック部１０８に対して円周方向に若干ずれた位置にセグメントギヤ１０９が形成され、さらにこのセグメントギヤ１０９に対して所定の角度ずれた位置に係合用凹部１１０が形成されている。これらの被ロック部１０８、セグメントギヤ１０９、および係合用凹部１１０に上記シャッタ開閉機構６５がアクセスしながらカートリッジ５１に対して相対的に摺動動作することによって、シャッタ板１００の開閉動作が行なわれる。
【００４０】
（２）動作の説明
次に以上のような構成に係る記録再生装置の動作について説明する。図２に示すトレー１３の凹部１４にＤＶＲ用カートリッジ５１が載置された状態でこのトレー１３が外筐１０内に引込まれた場合には、ＤＶＲ用カートリッジ５１が図７〜図９に示すようにこの装置に装着される。このときにステッピングモータ３５および送りねじ３４によってＤＶＤ用ピックアップ３１がＤＶＲ用カートリッジ５１の外周側であってトレー１３の前方側の部分に退避する。そしてこのときにはＤＶＲ用カートリッジ５１はベースユニット２５上の一対のサポートロッド４５と一対のサポートアーム４６とによってそれぞれ支持される。これらのロッド４５およびアーム４６は何れもベースユニット２５の上昇動作によってトレー１３の開口４７、４８を通してトレー１３の凹部１４上に臨み、ＤＶＲ用カートリッジ５１を正しく位置決めする。
【００４１】
これに対してベアディスク５２がトレー１３の凹部１４に載置された状態でトレー１３が引込まれると、トレー１３は外筐１０内に引込まれる。このときのベアディスク１２のベースユニット２５上における位置関係は図１０〜図１２に示すようになる。すなわちこの場合にはステッピングモータ４０によって送りねじ３９がＤＶＲ用ピックアップ３２をトレー１３の奥側の部分に退避させる。すなわちベアディスク５２に対してその外周側にＤＶＲ用ピックアップ３２が位置する。言換えれば、ベアディスク５２の投影面積の内側にＤＶＲ用ピックアップ３２の少なくともレンズの部分が入らないように退避させる仕組になっている。そしてステッピングモータ３５によって送りねじ３４を介してＤＶＤ用ピックアップ３１がベアディスク５２の下面に位置することになる。このような状態においてターンテーブル２７によってベアディスク５２が回転駆動され、このベアディスク５２に対して記録および／または再生が行なわれる。
【００４２】
このように本実施の形態の記録再生装置は、ＤＶＤ／ＣＤ、ＤＶＲの２つの互いに互換性のないフォーマットのディスク状記録媒体を使用することができる記録再生装置である。ここでベースユニット２５は板金あるいは樹脂によって形成され、この装置の筐体１０内に設けられている。そしてベースユニット２５上においてＤＶＤ／ＣＤ用の光学ピックアップ３１を手前側あるいは前方側に配するとともに、ＤＶＲ用光学ピックアップ３２を奥側に配するようにしている。これに対して光ディスク回転用モータはターンテーブル２７とともに共通化して単一のものを用い、このターンテーブル２７を中心に上記２種類の光学ピックアップ３１、３２をターンテーブル２７の円周方向に１８０度ずれた位置でそれぞれ光ディスクの半径方向に移動自在にしている。なお２種類の光学ピックアップ３１、３２はそれぞれ独立にチルトおよび位置調整を可能にしている。
【００４３】
ここでとくに装置内に侵入する可能性のあるダストに対して弱い高密度記録のためのフォーマットの光学ピックアップであるＤＶＲ用ピックアップ３２を外筐１０に対して奥側に位置するようにベースユニット２５の後方に配置することによって、ダスト対策を可能にしている。なおここで２種類の光学ピックアップ３１、３２が移動するガイド３３、３７、３８の何れかの主軸または副軸について、少なくとも１本を共通化させるようにすると、部品点数の削減が図られる。
【００４４】
またこの装置はＤＶＤ／ＣＤから成るベアディスク５２を用いる場合には、ＤＶＲ用ピックアップ３２がベアディスク５２に対して当らないようにするために、平面的にターンテーブル２７とは反対側に移動するようにＤＶＲ用ピックアップ３２の移動のためのガイドロッド３７、３８を設けている。これらのガイドロッド３７、３８はＤＶＲ用ピックアップ３２がＤＶＲ用カートリッジ５１にアクセスし、このカートリッジ内の光ディスクに対して半径方向に移動させるために必要な部品であるが、その長さを少し長くするだけでＤＶＲ用ピックアップ３２の退避機構を完成している。
【００４５】
逆にＤＶＲ用カートリッジ５１を使用する場合には、ＤＶＤ／ＣＤ用のピックアップ３１がＤＶＲ用カートリッジ５１と干渉しないように、ここではターンテーブル２７に対して反対側の外周側に移動するようにガイドロッド３３および送りねじ３４の長さを長くしている。ガイドロッド３３および送りねじ３４はＤＶＤ用ピックアップ３１がベアディスク５２にアクセスするために必要な部品であるが、その長さを少し長くするだけで、このＤＶＤ用ピックアップ３１の退避を可能にしている。
【００４６】
なお上記実施の形態においては、一対の光学ピックアップ３１、３２の配置をターンテーブル２７の円周方向に対して１８０度ずれた位置であってベースユニット２５の手前側と奥側とに配するようにしているが、２種類の光学ピックアップ３１、３２の配置関係は必ずしも１８０度対向である必要はない。すなわち９０度直交する方向に２つのピックアップ３１、３２を移動可能に配するようにしてよく、あるいはまた両者の移動方向の交差する角度を６０度等の任意の角度に設定することが可能である。これら２種類の光学ピックアップ３１、３２の移動方向の配置は、外筐１０あるいはベースユニット２５内の他の部品の配置との関係において適宜選択できるものである。
【００４７】
次にＤＶＲ用カートリッジ５１をローディングして記録再生位置へ移動したときに、このカートリッジ５１のシャッタ板１００が開放される動作について説明する。図１８に示すようにトレー１３を引出した状態でその凹部１４内にカートリッジ５１を載置する。そしてこの後にトレー１３を駆動部１８によって駆動しながら自走させ、図１９および図２０に示すように外筐１０内に引込む。このときにチャッキングスライダ５６の上端に取付けられているシャッタ開閉機構６５がトレー１３のスリット６４によってトレー１３の凹部１４に臨むようになる（図１９、図２０、図２２、図２３参照）。すなわちトレー１３が引込まれると図２１に示すようこのトレー１３の後端側からシャッタ開閉機構６５が相対的にトレー１３の下側に侵入する。
【００４８】
そしてトレー１３が自走しながら記録再生位置側へ移動するに従って図２２および図２３に示すように、シャッタ開閉機構６５はトレー１３のスリット６４の外側を摺動することになり、このときにシャッタ開閉機構６５のラック７１、一対の位相ずれ矯正部材７５、７９がともにトレー１３のスリット６４によって凹部１４内に臨むようになる。このようなシャッタ開閉機構６５のトレー１３に対する相対的な移動によって、このトレー１３によってローディングされるＤＶＲ用カートリッジ５１のシャッタ板１００が開放される。
【００４９】
なおシャッタ開閉機構６５によるＤＶＲ用カートリッジ５１のシャッタ板１００の開閉動作の際に、図２６に示す突当て８６がシャッタ開閉機構６５の開閉ベース６６を背面側から押圧し、これによってスリット６４を通してトレー１３の凹部１４内に開閉ベース６６が突出するように押圧する。これに対してシャッタ開閉機構６５による開閉動作を終了したならば、カム８５が図２７に示すようにシャッタ開閉機構６５を後退させ、これによってこのシャッタ開閉機構６５がスリット６４から後退し、トレー１３の凹部１４から逃げるようになる。なおこのときに突当て８６は開閉ベース６６に設けられている凹部８７内に受入れられる。
【００５０】
シャッタ開閉機構６５によるＤＶＲ用カートリッジ５１のシャッタ板１００の具体的な開閉の動作を図２９〜図３８によって説明する。カートリッジ５１を搭載したトレー１３を外筐１０内に引込むように自走させると、まず開閉ベース６６の先端部によってロックレバー９３の被押圧部９６が押され、ロックレバー９３がピン９２を中心として時計方向に回動して内側シェル１０１のロックが解除され、やがて図２９に示すようにシャッタ開閉機構６５の先端側の位相ずれ矯正部材７５がカートリッジ５１の側面の溝の部分に侵入する。そしてシャッタ開閉機構６５の相対的な移動によりカートリッジ５１の内側シェル１０１の係合用凹部１１０に図３０に示すように位相ずれ矯正部材７５が係合する。これによって内側シェル１０１が下側シェル９０に対して図３１に示すように時計方向に回転される。
【００５１】
内側シェル１０１は図２８に示すように支点ピン１０２を介して一対のシャッタ板１００を開閉自在に支持するとともに、このシャッタ板１００のスリット１０３が下側シェル９０の内表面に設けられているピン９８に係合されているために、内側シェル１０１が回転されるとこれによって図３１〜図３６に示すようにシャッタ板１００が内側シェル１０１に対して支点ピン１０２を中心として回動運動を行ない、これによって内側シェル１０１の開口１０６を開放する。
【００５２】
図３１に示すように位相ずれ矯正部材７５は内側シェル１０１が比較的小さな角度回動されている内はその係合用凹部１１０に係合されているものの、開閉ベース６６のラック７１が内側シェル１０１のセグメントギヤ１０９に図３２に示すように噛合うと、この位相ずれ矯正部材７５が内側シェル１０１の係合用凹部１１０から離脱する。従ってこの後は開閉ベース６６の移動によってラック７１がセグメントギヤ１０９と係合しながら内側シェル１０１を同じ方向に回動させることになり、これによってシャッタ板１００が内側シェル１０１の開口１０６を徐々に広くようになる（図３３参照）。
【００５３】
図３４に示すように内側シェル１０１が図２９に示す位置から約４０度開かれると開閉ベース６６の後側の位相ずれ矯正部材７９が内側シェル１０１の被ロック部１０８に係合する。従ってこの後は主として後側の位相ずれ矯正部材７９が内側シェル１０１を時計方向に回転させるようになる。そして図３５に示す状態を経て図３６に示すように約５０度内側シェル１０１が回転されると、シャッタ板１００は開口１０６を完全に開放する。
【００５４】
そしてさらにこの内側シェル１０１が開閉ベース６６の後側の位相ずれ矯正部材７９によって時計方向に回転されると、図３７に示すように開放された内側シェル１０１の開口１０６と下側シェル９０の開口９１とがほぼ完全に整合するようになる。なおこのときに内側シェル１０１の被ロック部１０８は真横の位置にある。そしてこの状態でロックレバー９３のロック部９４が内側シェル１０１の突部１１１の終端に係合し、開放状態で内側シェル１０１がロックされる。
【００５５】
そしてこの後に図２５および図２７に示すように、トレー１３の裏側のカム８５が開閉ベース６６の突部６９を押戻し、これによってこのシャッタ開閉機構６５を退避させる。従って図３８に示すようにシャッタ板１００が完全に開放されるとともに内側シェル１０１の開口１０６と下側シェル９０の開口９１とが整合された状態で、シャッタ開閉機構６５がカートリッジ５１から離間する。
【００５６】
なおシャッタ板１００を閉じる動作は上記とは逆の動作によって行なわれる。すなわち図２０に示すように記録再生位置に移動されたトレー１３を引出して図１８に示すように引出し位置へ移動させるのに連動して、トレー１３に搭載されているＤＶＲ用カートリッジ５１のシャッタ板１００が閉じるようになっている。
【００５７】
この動作は逆に図３８〜図２９の順序で行なわれる。すなわちまず開閉ベース６６の後端の突部１２５によってカートリッジ５１のロックレバー９３の被押圧部９６が押され、内側シェル１０１の突部１１１のロックレバー９３によるロックが解除される。そしてその後に開閉ベース６６の後側の位相ずれ矯正部材７９がまず内側シェル１０１の被ロック部１０８と係合して内側シェル１０１を反時計方向に回転させる。そして位相ずれ矯正部材７９が被ロック部１０８から離間する前にセグメントギヤ１０９がラック７１によって押されて同方向に回転する。そして最後には前方の位相ずれ矯正部材７５が内側シェル１０１の係合用凹部１１０に係合しながら最初の回転位置へ復帰させ、内側シェル１０１の開口１０６と下側シェル９０の開口９１とがずれるとともに、一対のシャッタ板１００が内側シェル１０１の開口１０６を完全に閉鎖するようになる。
【００５８】
図３８に示されるようにカートリッジ５１のシャッタ板１００が完全に開かれた状態からトレー１３を引出し方向に移動させると、図３８〜図２９に示すようにシャッタ開閉機構６５が相対的にカートリッジ５１の側面を上方へ移動することになる。そして図３７および図３６に示すように開閉機構６５が少し移動を開始した状態で上述の如く、開閉ベース６６の押圧用突部１２５がカートリッジ５１側のロックレバー９３の被押圧部９６を押圧し、これによってロックレバー９３をピン９２を中心として時計方向に回動させ、ロック部９４を内側シェル１０１の突部１１１の終端から離脱させる。従ってこれにより、ロックレバー９３が中シェル１０１の回転を阻害しないようになる。
【００５９】
ロックレバー９３は内側シェル１０１が大きな力で反時計方向に回動されるとロツク部９４が突部１１１の上へ乗上げるようになっているものの、このときに大きな負荷を要する。ところがシャッタ開閉機構６５のベース６６の押圧用突部１２５によって予めロックレバー９３をロック解除方向に回動させておくことにより、内側シェル１０１の反時計方向への回転の負荷を大幅に軽減することができ、これによってシャッタ板１００の閉鎖動作が円滑に行なわれることになる。
【００６０】
ここでカートリッジ５１のシャッタ板１００が図２９および図３０に示すように完全に内側シェル１００の開口１０６を閉じた状態ではなく、図３１あるいは図３２に示すように開口１０６が半開状態でローディングが行なわれた場合のシャッタ板１００の開放動作について説明する。この場合にはシャッタ開閉機構６５の前方の位相ずれ矯正部材７５が完全に機能しないで開放動作が行なわれる。すなわち位相ずれ矯正部材７５が必ずしも内側シェル１０１の係合用凹部１１０に係合せず、むしろセグメントギヤ１０９に係合したり、あるいはまた位相ずれ矯正部材７５が開放動作を行なわない。そしてシャッタ開閉機構７５のラック７１が直接内側シェル１０１のセグメントギヤ１０９に係合して内側シェル１０１を時計方向に回転させる。従ってこの場合にはシャッタ１００が完全に閉じた状態でのローディング動作の場合に比べてシャッタ１００の開放動作が早く行なわれる。
【００６１】
そしてこの後にさらにシャッタ開閉機構６５の開閉ベース６６がカートリッジ５１の側面を相対的に摺動し、ラック７１がセグメントギヤ１０９から離れた状態で、シャッタ開閉機構６５の位相ずれ矯正部材７９が内側シェル１０１の外周部のセグメントギヤ１０９と被ロック部１０８との間の突部の上面を摺動する。上述の如く位相ずれ矯正部材７９はばね８２によって押圧されてリミッタ機能が付与されているために、このリミッタ機能によって内側シェル１０１の外周面上をスリップしながら最終的には図３５に示すように位相ずれ矯正部材７９が内側シェル１０１の被ロック部１０８に噛合う。
【００６２】
すなわち位相ずれ矯正部材７９の内側シェル１０１の外周面上の相対的なスリップによって半開状態のシャッタ板１００の開閉ストロークの誤差を吸収する。従って図３７および図３８に示すように、最終的には位相ずれ矯正部材７９によって強制的にシャッタ板１００が全開状態になる。すなわちシャッタ板１００が半開状態でトレー１３上に載置されてローディングが行なわれても、必ずカートリッジ５１のシャッタ板１００は図３８に示すように全開状態で記録再生位置へ移動され、円滑な記録再生動作が可能になる。
【００６３】
次に図３８に示すようにシャッタ板１００が全開状態ではなく、例えば図３５あるいは図３６に示すように部分的に閉じられた状態でトレー１３によって記録再生位置から引出し位置へ移動された場合について考察する。この場合においては、位相ずれ矯正部材７９が内側シェル１０１の被ロック部１０８に係合して内側シェル１０１を回動させる動作が不完全であったりこの動作が行なわれず、開閉ベース６６上のラック７１が内側シェル１０１のセグメントギヤ１０９を反時計方向に回動させる。
【００６４】
そしてこの後に前方の位相ずれ矯正部材７５が内側シェル１０１のセグメントギヤ１０９と係合用凹部１１０との間の外周面上を摺動する。このような後側の位相ずれ矯正部材７５の内側シェル１０１の外周面上の摺動動作によって、シャッタ板１００の半開状態の不定ストロークを吸収する。そして最終的には図３０に示すように開閉ベース６６の前側の位相ずれ矯正部材７５が正しく内側シェル１０１の係合用凹部１１０に係合した状態で内側シェル１０１の開口１０６がシャッタ板１００によって完全に閉じられる。従って半開状態でＤＶＲ用カートリッジ５１の排出を行なっても、完全にシャッタ板１００によって閉じられた状態で排出される。
【００６５】
このようにシャッタ開閉機構６５を利用してＤＶＲ用カートリッジ５１の内側シェル１０１を回転させ、これによってシャッタ板１００の開閉動作を行なうようにしている。ここでシャッタ開閉機構６５のラック７１と内側シェル１０１のセグメントギヤ１０９の位置関係を両者のピッチサークルが互いに接する理想ピッチ距離関係にはせず、むしろ開閉機構６５側のばね６８、７４によってラック７１をカートリッジ５１側へ押圧することによって、深い噛合いを達成し、これによって両者の間の噛合いの外れを防止している。
【００６６】
またシャッタ開閉機構６５のラック７１の与圧を２個のばね７１によって行なうことにより、セグメントギヤ１０９との噛合い方向に対してラック７１の移動方向に対する法線が一致しない場合であって、ラック７１の一端がカートリッジ５１側の切欠き１１８内において傾斜した状態であってもラック７１とセグメントギヤ１０９との噛合いを達成している。
【００６７】
またシャッタ開閉機構６５のラック７１、位相ずれ矯正部材７５、７９をそれぞればね７４、７８、８２によってカートリッジ５１側に与圧することによって、トレー１３によってカートリッジ５１を搬送する機構において、とくにトレー１３やカートリッジ５１の部品寸法のばらつきを吸収し、これによってシャッタ開閉機構６５のラック７１とセグメントギヤ１０９との確実な噛合いを達成し、シャッタ板１００の開閉動作を確実に行なうようにしている。
【００６８】
このように本実施の形態のディスク式記録再生装置におけるシャッタ開閉機構６５は開閉ベース６６と、排出時にシャッタ板１００を全閉させる前方側の位相ずれ矯正部材７５と、ローディング時にシャッタ板１００を全開させる後側の位相ずれ矯正部材７９と、カートリッジ５１の内側シェル１０１のセグメントギヤ１０９と噛合ってこの内側シェル１０１を回動させるラック７１とから構成されている。
【００６９】
ここでシャッタ開閉機構６５はトレー１３の記録再生位置への引込み動作によって、トレー１３上のカートリッジ５１の側面を相対的に摺動することによって、カートリッジ５１の側面に露出する内側シェル１０１のセグメントギヤ１０９および係合用凹部１１０を捕えて内側シェル１０１を回動させ、この内側シェル１０１に回動自在に支持されている一対のシャッタ板１００を開放する。
【００７０】
そしてシャッタ板１００の全開後においてはトレー１３の裏面に設けられているカム８５によってシャッタ開閉機構６５をカートリッジ５１の側面から離脱させ、これによってカートリッジ５１に対するガタ寄せを解除する。従ってこの後にカートリッジ５１のケース内におけるディスクのチャッキング時にケースの位置決めを阻害することがない。
【００７１】
またトレー１３を記録再生位置から引出し位置へ移動させる工程において、ケース内のディスクのチャッキングを解除した後に開閉ベース６６に設けられた圧縮コイルばね６８の力によって再びシャッタ開閉機構６５がカートリッジ５１の側面に押当てられ、これによってカートリッジ５１に対するガタ寄せを行なう。そしてトレー１３の排出が始まるとトレー１３の引込み時とは逆方向の工程で上述の如く一対のシャッタ板１００が閉じられ、そしてシャッタ板１００によって内側シェル１０１の開口１０６と下側シェル９０の開口９１とがともに全閉された後にトレー１３の排出が行なわれる。これによってケース内の光ディスクの汚損を防止している。
【００７２】
またこのディスク式記録再生装置はトレー１３によって記録再生位置に引込まれたカートリッジ５１を図７〜図９に示すようにベースユニット２５上の一対のサポートロッド４５とサポートアーム４６とによって高精度に支持している。このときにカートリッジ５１の下側シェル９０はトレー１３の凹部１４の表面から約１ｍｍ浮いた状態になっている。そしてこのような状態において上側から押圧機構によってカートリッジ５１を分離して弾性的に押圧している。
【００７３】
図３９〜図４１は上記シャッタ開閉機構６５による開閉動作の際におけるシャッタ開閉機構６５のカートリッジ５１に対する退避動作を示している。すなわちここではＤＶＲ用カートリッジ５１の側部の切欠き１１８に対してラック７１、一対の位相ずれ矯正部材７５、７９の軸線方向の寸法をトレー１３によるカートリッジ５１の搬送時とベースユニット２５によるチャックアップ動作完了時の高さ方向の移動量以上に小さくすることによって、シャッタ板１００が開放された状態で、シャッタ開閉機構６５の先端部がカートリッジ５１の外形投影面積の外側に移動する必要なしに、カートリッジ５１の保持部とシャッタ開閉機構６５の高さ方向の移動機構を設けるようにしている。
【００７４】
図３９はカートリッジ５１がトレー１３の凹部１４上に載置された状態を示しており、この状態で開閉機構６５の位相ずれ矯正部材７９が図３７に示すようにカートリッジ５１の内側シェル１０１の被ロック部１０８に係合される。
【００７５】
この後にトレー１３がさらに記録再生装置側へ引込まれると、このトレー１３に設けられているカム８５によって図４０に示すように開閉ベース６６が右方に後退され、この開閉ベース６６に取付けられている位相ずれ矯正部材７９は後退し、内側シェル１０１の被ロック部１０８から離脱する。ところがこの状態においてもなお位相ずれ矯正部材７９はカートリッジ５１の上下のシェル１１７、９０の切欠き１１８内に位置している。すなわちカートリッジ５１の投影面積の内側に位置している。
【００７６】
このような状態でチャッキングスライダ５６がトレー１３の引込み方向とは逆方向に押出され、このチャッキングスライダ５６のカム溝５９によってベースユニット２５が上方に押上げられると、図４１に示すようにカートリッジ５１はトレー１３の凹部１４から上方に浮上がる。なおこのときにカートリッジ５１はサポートロッド４５とサポートアーム４６とによって支持される。そしてこのような状態において図４１に示すように、シャッタ開閉機構６５の位相ずれ矯正部材７９はカートリッジ５１の切欠き１１８内を下方に移動するものの、この位相ずれ矯正部材７９はなお切欠き１１８の下面よりも上側に位置しており、両者の間に隙間が存在する。
【００７７】
従ってこのような構造によれば、シャッタ開閉機構６５のカートリッジ５１に対する図４１における右方への退避のストロークを小さくすることが可能になる。
【００７８】
以上本願発明を図示の実施の形態によって説明したが、本願に含まれる発明は上記実施の形態によって限定されることなく、本願に含まれる発明の技術的思想の範囲内において各種の変更が可能である。例えば上記実施の形態は光ディスクと一対の光学ピックアップ３３、３４から成る光学ヘッド装置によって構成される装置に関するものであるが、本願の発明はこのような構成のみに限定されるものではなく、光磁気ディスクや磁気ディスク、静電容量ディスク等の記録媒体と、この記録媒体に対して記録および／または再生を行なうヘッド装置の組合わせから成る装置に広く適用可能である。
【００７９】
【発明の効果】
本願の主要な発明は、ディスク状記録媒体をケース内に収納したカートリッジをトレーによって記録再生位置へ移動させ、ヘッドによって記録および／または再生を行なうようにしたディスク式記録再生装置において、トレーによってカートリッジを記録再生位置へ移動させるときにカートリッジのシャッタを開放するとともに、トレーによってカートリッジを引出し位置へ移動させるときにカートリッジのシャッタを閉鎖するシャッタ開閉機構を具備し、該シャッタ開閉機構はカートリッジの側面に接してシャッタを開閉するラックと、シャッタの開放時における開度の不定を吸収する第１の位相ずれ矯正部材と、シャッタの閉鎖時における開度の不定を吸収する第２の位相ずれ矯正部材とを具備し、シャッタ開閉機構のラックがカートリッジのケース側のセグメントギヤに噛合うとともに、第１の位相ずれ矯正部材と第２の位相ずれ矯正部材とがそれぞれケース側の第１の係合部と第２の係合部とにそれぞれ係合してシャッタの開閉を行なうようにしたものである。
【００８０】
従ってこのようなディスク式記録再生装置によれば、シャッタ開閉機構のとくにラックによってカートリッジのケース側のセグメントギヤを駆動することによって、シャッタを確実に開閉することが可能になる。またシャッタの開放時における開度が不定の場合においても、第１の位相ずれ矯正部材の作用によってこの開度の不定を吸収し、正しくシャッタを全開の状態にでき、またシャッタの閉鎖時に開度が不定の場合においても、第２の位相ずれ矯正部材によって上記シャッタの開度の不足を吸収することが可能になり、これによって信頼性の高いシャッタの開閉動作が可能になる。
【図面の簡単な説明】
【図１】ディスク式記録再生装置の要部斜視図である。
【図２】同トレーを引出した状態の斜視図である。
【図３】ベースユニットの平面図である。
【図４】ベースユニットの側面図である。
【図５】ベースユニットの正面図である。
【図６】ベースユニットの斜視図である。
【図７】ＤＶＲ用カートリッジを装着したベースユニットの平面図である。
【図８】同側面図である。
【図９】同斜視図である。
【図１０】ベアディスクを搭載したベースユニットの平面図である。
【図１１】同側面図である。
【図１２】同斜視図である。
【図１３】チャッキングスライダの取付けを示す分解斜視図である。
【図１４】シャッタ開閉機構の正面図、底面図、および背面図である。
【図１５】シャッタ開閉機構の分解斜視図である。
【図１６】同外観斜視図である。
【図１７】シャッタ開閉機構の分解平面図である。
【図１８】トレーを引出した状態のシャッタ開閉機構の配置を示す外観斜視図である。
【図１９】トレーを引込んだ状態のシャッタ開閉機構の配置を示す外観斜視図である。
【図２０】同シャッタ開閉機構が後退した状態の斜視図である。
【図２１】トレーの底部に対するシャッタ開閉機構の導入動作を示す斜視図である。
【図２２】シャッタ開閉機構が下側に引込まれたトレーの斜視図である。
【図２３】同シャッタ開閉機構が後退した状態の斜視図である。
【図２４】トレーの底部を示す裏側の要部斜視図である。
【図２５】シャッタ開閉機構を後退させた状態のトレーの裏側の斜視図である。
【図２６】突当てによるシャッタ開閉機構の前進動作を示すトレーの底面図である。
【図２７】カムによるシャッタ開閉機構の後退動作を示すトレーの底面図である。
【図２８】ＤＶＲ用カートリッジのシャッタ支持機構を示す要部分解斜視図である。
【図２９】シャッタの開放を開始する直前の状態を示す平面図である。
【図３０】シャッタの開放動作を示す平面図である。
【図３１】シャッタの開放動作を示す平面図である。
【図３２】シャッタの開放動作を示す平面図である。
【図３３】シャッタの開放動作を示す平面図である。
【図３４】シャッタの開放動作を示す平面図である。
【図３５】シャッタの開放動作を示す平面図である。
【図３６】シャッタの開放動作を示す平面図である。
【図３７】シャッタの開放動作を示す平面図である。
【図３８】シャッタが完全に開放された状態を示す平面図である。
【図３９】シャッタ開閉機構の要部縦断面図である。
【図４０】シャッタ開閉機構を後退させた状態の要部縦断面図である。
【図４１】カートリッジをトレーから浮上がらせた状態のシャッタ開閉機構の要部縦断面図である。
【符号の説明】
１０‥‥外筐、１１‥‥フロントパネル、１２‥‥横長開口、１３‥‥トレー、１４‥‥凹部、１５‥‥開口、１６‥‥Ｕ字状切込み、１７‥‥半円形の切込み、１８‥‥駆動ユニット、１９‥‥モータ、２０‥‥段部、２１‥‥ラック、２５‥‥ベースユニット、２６‥‥ブラケット、２７‥‥ターンテーブル、３１‥‥ＤＶＤ用ピックアップ（光学ヘッド）、３２‥‥ＤＶＲ用ピックアップ（光学ヘッド）、３３‥‥ガイドロッド、３４‥‥送りねじ、３５‥‥ステッピングモータ、３７、３８‥‥ガイドロッド、３９‥‥送りねじ、４０‥‥ステッピングモータ、４１‥‥ナット、４５‥‥サポートロッド、４６‥‥サポートアーム、４７、４８‥‥開口、５１‥‥ＤＶＲ用カートリッジ、５２‥‥ベアディスク、５６‥‥チャッキングスライダ、５７‥‥連結板、５８‥‥長孔、５９‥‥カム溝、６０‥‥ピン、６１‥‥縦溝、６４‥‥スリット、６５‥‥シャッタ開閉機構、６６‥‥開閉ベース、６７‥‥保持部、６８‥‥ばね、６９‥‥突部、７１‥‥ラック、７２‥‥係合爪、７３‥‥係合孔、７４‥‥ばね、７５‥‥位相ずれ矯正部材（前）、７６‥‥係合爪、７７‥‥係合孔、７８‥‥ばね、７９‥‥位相ずれ矯正部材（後）、８０‥‥係合爪、８１‥‥係合孔、８２‥‥ばね、８５‥‥カム、８６‥‥突当て、８７‥‥凹部、９０‥‥下側シェル、９１‥‥開口、９２‥‥ピン、９３‥‥ロックレバー、９４‥‥ロック部、９５‥‥弾性片、９６‥‥被押圧部、９７‥‥開閉ピン、１００‥‥シャッタ板、１０１‥‥内側シェル、１０２‥‥支点ピン、１０３‥‥スリット、１０６‥‥開口、１０８‥‥被ロック部、１０９‥‥セグメントギヤ、１１０‥‥係合用凹部、１１１‥‥突部、１１７‥‥上側シェル、１１８‥‥切欠き、１１９‥‥スリット、１２０‥‥凹部、１２５‥‥押圧用突部
【図１】
0003849763.tif 000002
【図２】
0003849763.tif 000003
【図３】
0003849763.tif 000004
【図４】
0003849763.tif 000005
【図５】
0003849763.tif 000006
【図６】
0003849763.tif 000007
【図７】
0003849763.tif 000008
【図８】
0003849763.tif 000009
【図９】
0003849763.tif 000010
【図１０】
0003849763.tif 000011
【図１１】
0003849763.tif 000012
【図１２】
0003849763.tif 000013
【図１３】
0003849763.tif 000014
【図１４】
0003849763.tif 000015
【図１５】
0003849763.tif 000016
【図１６】
0003849763.tif 000017
【図１７】
0003849763.tif 000018
【図１８】
0003849763.tif 000019
【図１９】
0003849763.tif 000020
【図２０】
0003849763.tif 000021
【図２１】
0003849763.tif 000022
【図２２】
0003849763.tif 000023
【図２３】
0003849763.tif 000024
【図２４】
0003849763.tif 000025
【図２５】
0003849763.tif 000026
【図２６】
0003849763.tif 000027
【図２７】
0003849763.tif 000028
【図２８】
0003849763.tif 000029
【図２９】
0003849763.tif 000030
【図３０】
0003849763.tif 000031
【図３１】
0003849763.tif 000032
【図３２】
0003849763.tif 000033
【図３３】
0003849763.tif 000034
【図３４】
0003849763.tif 000035
【図３５】
0003849763.tif 000036
【図３６】
0003849763.tif 000037
【図３７】
0003849763.tif 000038
【図３８】
0003849763.tif 000039
【図３９】
0003849763.tif 000040
【図４０】
0003849763.tif 000041
【図４１】
0003849763.tif 000042